(57)【要約】【課題】機能の追加、拡張又は変更に容易に対応できる配線システムを提供する。【解決手段】電力線と、情報線と、電力線からの電力の受け取り或いは情報線を介しての情報の受け取り或いは情報線を介しての情報の受け渡しのうち少なくとも何れかを行うことによって所定の機能を発揮する機能モジュールと、機能モジュールの制御を行う制御部と、制御部によって使用され機能モジュールの所定の機能を発揮させることによって機能モジュールに特定の動作を行わせる情報を書換え可能に格納する情報記憶媒体とを備え、情報記憶媒体は、制御部に接続された装着部に着脱自在に設けられている。【選択図】図１
2007174361.tif 000002
【特許請求の範囲】
【請求項１】
電力線と、情報線と、電力線からの電力の受け取り或いは情報線を介しての情報の受け取り或いは情報線を介しての情報の受け渡しのうち少なくとも何れかを行うことによって所定の機能を発揮する機能モジュールと、機能モジュールの制御を行う制御部と、制御部によって使用され機能モジュールの所定の機能を発揮させることによって機能モジュールに特定の動作を行わせる情報を書換え可能に格納する情報記憶媒体とを備え、情報記憶媒体は、制御部に接続された装着部に着脱自在に設けられていることを特徴とする配線システム。
【請求項２】
制御部は、情報記憶媒体に格納された情報に基づいて制御情報を生成し、当該制御情報を機能モジュールへ送信することを特徴とする請求項１記載の配線システム。
【請求項３】
機能モジュールは、表示手段或いは報知手段或いは操作手段のうち少なくとも何れか１つを有することを特徴とする請求項１又は請求項２記載の配線システム。
【請求項４】
建造物の壁面に組み込まれ、建造物内に配設された電力線および情報線のそれぞれに接続される電力接続口および情報線接続口を有するゲート装置を備え、機能モジュールは電力線接続口および情報線接続口に接続可能なコネクタを有し、電力路接続口と情報路接続口にコネクタが接続されることにより、ゲート装置に機能モジュールが接続されることを特徴とする請求項１乃至請求項３の何れかに記載の配線システム。
【請求項５】
電力路接続口と情報路接続口とはモジュール化されて接続部を形成しており、コネクタは接続部に適合するようにモジュール化されていることを特徴とする請求項４に記載の配線システム。
【請求項６】
建造物の壁面において複数箇所に組み込まれた複数のゲート装置を備え、制御部は、電力線及び情報線にゲート装置を介して接続された複数の機能モジュールのうち少なくとも二つを制御することを特徴とする請求項４又は請求項５記載の配線システム。
【請求項７】
機能モジュールに着脱自在なアダプタモジュールを設け、アダプタモジュールは、制御部と装着部とを有して機能モジュールの所定の機能を発揮させることを特徴とする請求項１乃至請求項６記載の配線システム。
【請求項８】
機能モジュールが制御部と装着部とを有していることを特徴とする請求項１乃至請求項６記載の配線システム。
【請求項９】
情報記憶媒体は、情報線を介して情報記憶媒体に格納された情報を書換えることができるよう構成されていることを特徴とする請求項１乃至請求項８の何れかに記載の配線システム。
【発明の詳細な説明】
【技術分野】
【０００１】
本発明は、情報と負荷の電力とを同時に送ることができる配線システムに関する。
【背景技術】
【０００２】
従来、端末器を通じて負荷の操作（監視）制御を行うシステムには、端末器へ中央監視装置から複極のベースバンド信号からなる伝送信号を時分割多重によって送り、各端末器では、この伝送信号を利用して情報の授受を行うと共に端末回路部の電源を得るシステムがあった（例えば、特許文献１参照）。
【０００３】
このシステムでは、埋め込み型の配線器具用に規格されているスイッチボックス９０とこれに対応する取付枠とを用いて操作スイッチ等を設けた操作用端末器を壁面に埋め込み配設することで、従前の壁スイッチと同様な使い方が行われるようになっている。また２組の操作用端末器を取り付ける場合には、２つの取付窓を備えた２連用の取付枠を用い、取付枠の片側の一連分を一連型のスイッチボックス９０に取り付け、残りの片側を壁面に沿わせるように配置し、夫々の取付窓に操作用端末器を取り付けることで、２つの操作用端末器を併設する構成を採用していた。また、取付窓間に設けた導電片を両側の取付窓に設けた操作用端末器のリード片を接触させることで、一方の操作用端末器（スイッチボックス９０側）から他方の操作用端末器へ信号線を送り配線する構成となっている。
【０００４】
また、従来より住宅設備機器として、例えば壁面に固定された取付金具を用いて配設されるドアホンシステムのテレビ付ドアホン親機が提供されている（例えば、特許文献２参照）。
【特許文献１】特許第３１３６００６号公報（段落番号０００４、０００５、００１５、図１、図３７）
【特許文献２】特許第３３１９９２７号公報
【発明の開示】
【発明が解決しようとする課題】
【０００５】
ところで、上述のシステムは、伝送信号により端末器の端末回路部に電力を供給することができるものの、例えば信号線の電流容量等の制限から制御用端末器により制御される負荷への電力供給は、夫々の設置場所において商用電源から供給する構成であった。そのため、２線の信号線を各端末器間で接続するだけでよいため、信号線について省配線化を図ることができるものの、負荷に対する電源線の配置が従前のままであるため、制御用端末器の設置場所が限定される。
【０００６】
また、上記構成のテレビ付ドアホン親機では、ドアホン装置としての機能を拡張したり、バージョンアップする場合、ドアホン親機自体をまるごと交換する必要があった。また、ドアホン親機に、機能拡張ユニットなどを後付けして機能を拡張できるものであるが、当初から製品化されていた機能しか追加することはできず、したがって拡張性に乏しかった。
【０００７】
また、通常のコンセントやスイッチ等については、電力供給のみがなされ、信号線は接続されていなかった。この場合、ユーザが将来的に、例えば、インターホン通話システムや防災システム、或いは防犯システムなどのような特定の機能を有するシステムを追加、拡張しようとする場合には、それぞれのシステムごとに、別途信号線を配線して所要の端末器を設置しなければならず、配線設置作業が大掛かりとなって手間取るだけでなく、設置後の配線も大変煩雑なものとなってしまう。
【０００８】
本発明は、上述の点に鑑みてなされたものであり、その目的とするところは、機能の追加、拡張又は変更に容易に対応できる配線システムを提供することにある。
【課題を解決するための手段】
【０００９】
本発明の配線システムは、電力線と、情報線と、電力線からの電力の受け取り或いは情報線を介しての情報の受け取り或いは情報線を介しての情報の受け渡しのうち少なくとも何れかを行うことによって所定の機能を発揮する機能モジュールと、機能モジュールの制御を行う制御部と、制御部によって使用され機能モジュールの所定の機能を発揮させることによって機能モジュールに特定の動作を行わせる情報を書換え可能に格納する情報記憶媒体とを備え、情報記憶媒体は、制御部に接続された装着部に着脱自在に設けられていることを特徴とする。
【００１０】
上記構成において、機能モジュールは、電力線からの電力の受け取り或いは情報線を介しての情報の受け取り或いは情報線を介しての情報の受け渡しのうち少なくとも何れかを行うことによって所定の機能を発揮する。そして、制御部は、制御部に接続された装着部に着脱自在に設けられる情報記憶媒体が格納している情報を使用して、機能モジュールの所定の機能を発揮させ、機能モジュールに特定の動作を行わせることによって機能モジュールの制御を行う。
【００１１】
ここで、情報記憶媒体に格納されている情報は書換え可能である。よって、この情報を書換えた情報記憶媒体を装着部に装着すると、制御部は、書換えた情報を使用して、それに応じて機能モジュールが動作するように、機能モジュールを制御する。
【００１２】
特に、制御部は、情報記憶媒体に格納された情報に基づいて制御情報を生成し、当該制御情報を機能モジュールへ送信することが好ましく、制御部において情報記憶媒体に格納された情報に基づいて生成される制御情報が機能モジュールへ送信されると、それを受信した機能モジュールは、制御情報に基づいて、所定の機能を発揮して特定の動作を行う。よって、制御モジュールによる機能モジュールの制御が可能となる。
【００１３】
更に、機能モジュールは、表示手段或いは報知手段或いは操作手段のうち少なくとも何れか１つを有することが好ましい。
【００１４】
また更に、建造物の壁面に組み込まれ、建造物内に配設された電力線および情報線のそれぞれに接続される電力接続口および情報線接続口を有するゲート装置を備え、機能モジュールは電力線接続口および情報線接続口に接続可能なコネクタを有し、電力路接続口と情報路接続口にコネクタが接続されることにより、ゲート装置に機能モジュールが接続されることが好ましい。
【００１５】
ゲート装置の電力路接続口と情報路接続口とに対して機能モジュールのコネクタを接続するだけで電力路と情報路とを同時に確保することができる。
【００１６】
更に、電力路接続口と情報路接続口とはモジュール化されて接続部を形成しており、コネクタは接続部に適合するようにモジュール化されていることが好ましく、機能モジュールをどのゲート装置にも接続できるのでレイアウトフリーで施工性に優れた配線システムとすることができる。
【００１７】
また更に、建造物の壁面において複数箇所に組み込まれた複数のゲート装置を備え、制御部は、電力線及び情報線にゲート装置を介して接続された複数の機能モジュールのうち少なくとも二つを制御することが好ましい。各ゲート装置は、それぞれ電力線及び情報線に接続されているので、各ゲート装置は、互いに電力線及び情報線にて接続されている。また、各機能モジュールは、各ゲート装置を介して電力線及び情報線に接続されるので、各機能モジュールは、互いに電力線及び情報線にて接続されている。そして、制御部は、機能モジュールのうち少なくとも二つを制御するので、離れた場所に設けられている機能モジュールであっても制御部で制御してシステムとして機能させることができる。
【００１８】
また、機能モジュールに着脱自在なアダプタモジュールを設け、アダプタモジュールは、制御部と装着部とを有して機能モジュールの所定の機能を発揮させることが好ましく、アダプタモジュールと機能モジュールとの間に容易に機能モジュールを追加することができ、配線システムの機能拡張が容易になる。
【００１９】
更に、機能モジュールが制御部と装着部とを有していることが好ましく、配線システム全体をコンパクトに形成することができる。
【００２０】
また更に、情報記憶媒体は、情報線を介して情報記憶媒体に格納された情報を書換えることができるよう構成されていることが好ましく、制御部が情報線に接続されている場合には、制御部の装着部に情報記憶媒体を装着したまま状態で、容易に情報記憶媒体に格納している情報を書換えることができる。
【発明の効果】
【００２１】
本発明に係る配線システムは、機能モジュールの所定の機能を発揮させることによって機能モジュールに特定の動作を行わせる情報が情報記憶媒体に書換え可能に格納されているので、情報を書換えた情報記憶媒体を装着部に装着すると、制御部は、その情報に応じて機能モジュールが動作するように、機能モジュールを制御することができる。従って、配線システムの機能の追加、拡張又は変更に容易に対応できる。
【発明を実施するための最良の形態】
【００２２】
以下、本発明に係る配線システムの一実施形態について図面を参酌しつつ説明する。
本実施形態における配線システム１は、図１に示すように、建造物内の壁面に埋め込み配設しているスイッチボックスＳＢとスイッチボックスＳＢに取り付けられ電力線Ｌ１及び情報線Ｌ２に接続されるゲート装置３とゲート装置３に接続される機能モジュール５，６と機能モジュール５，６に接続される制御モジュール７とを備える。
【００２３】
電力線Ｌ１と情報線Ｌ２とは、分電盤２を介して建造物内に配設される。具体的には、電力線Ｌ１は、商用電源ＡＣに接続され分電盤２内の主幹ブレーカＭＢと分岐ブレーカＢＢとを介して建物の天井や側壁や床等を構成する壁内に配線されることによって屋内に引き込まれている。また、情報線Ｌ２は、外部のインターネット網ＮＴに接続されゲートウェイＧＷ（必要に応じてルータ、ハブ）を介して壁内に配線されることによって屋内に引き込まれている。
【００２４】
スイッチボックスＳＢは、図２に示すように、例えばＪＩＳで規格化された大角形の１個モジュール寸法の埋め込み型の配線器具が３個取り付けることができる１連の取付枠４に対応して規格化されたスイッチボックスＳＢである。スイッチボックスＳＢの上部からは分電盤２から配線されてくる電力線Ｌ１及び情報線Ｌ２が導入されている。尚、スイッチボックスＳＢは、室内の天井面やエアコン口等のようなハイポジションＨＰに設けられるものと、壁スイッチ等で推奨される高さ位置（ミドルポジションＭＰ）に設けられるものと、足元付近（ローポジションＬＰ）に設けられるものとに区分される。
【００２５】
取付枠４は、図３に示すように、中央に器具取り付け用の窓孔４ａを備え、この窓孔４ａに後方からゲート装置３の前部を嵌め込み、例えばネジ等によって固定するようになっている。尚、スイッチボックスＳＢを用いず、埋め込み孔を開口した壁パネルに取り付ける場合には、所謂挟み金具で壁パネルを挟持させて取り付けたり木ねじを用いて取り付けたりする。
【００２６】
ゲート装置３は、取付枠４を介してスイッチボックスＳＢに取り付けてられている。よって、ゲート装置３は、ハイポジションＨＰ、ミドルポジションＭＰ、及びローポジションＬＰのそれぞれの位置に設置可能である。ゲート装置３は、図４に示すように、壁内に配線された電力線Ｌ１及び情報線Ｌ２のそれぞれに接続される電力路接続口３１と情報路接続口３２とを有する。具体的には、ゲート装置３の後部（スイッチボックスＳＢの奥壁側）には、電力線Ｌ１及び情報線Ｌ２をそれぞれ接続する上下一対の端子部を上下に２組３３，３４，３３’，３４’並べて配備している。これらの端子部３３，３４，３３’，３４’に電力線Ｌ１と情報線Ｌ２とが接続されることにより、ゲート装置３は、電力線Ｌ１及び情報線Ｌ２のそれぞれに接続される。また、ゲート装置３の前部には、電力線Ｌ１と電気的に接続される接触部を備え且つ前方開口した電力路接続口３１と、情報線Ｌ２と電気的に接続される接触部を備え且つ前方開口した情報路接続口３２とが設けられている。
【００２７】
ここで、電力路接続口３１と情報路接続口３２とは、両者間の間隔及び内部の接触部の配列、開口の形状をモジュール化（定型化或いは規格化）しており、これによって接続部３Ａを構成している。ゲート装置３は、この接続部３ＡがスイッチボックスＳＢの前面開口側に配置されるように取り付けられる。
【００２８】
機能モジュールのうちゲート装置３に直接接続される基本機能モジュール５は、表示手段或いは報知手段或いは操作手段のうち少なくとも何れか１つを有しており、各手段に応じた機能を構成するようモジュール本体５ａの内部に電気回路が構成されている。具体的には、図４に示すように、電力被接触部５１を介して接続される商用電源ＡＣを所定電圧に降下させるとともに周波数を高くし、この高い周波数に変換した低圧交流電源をコア５０１に巻装したコイル５０２に印加するＡＣ／ＡＣコンバータ５０３と、低圧交流電源を整流平滑後、安定した直流電圧からなる内部回路の動作電源＋Ｖを得る直流電源部５０４と、情報被接触部５２を介して接続される情報線Ｌ２を通じて双方向に伝送される情報信号を送受信部５０５と、情報線Ｌ２を介して受信される情報信号をＥ／Ｏ変換して発光素子ＬＥＤを通じて送出するするＥ／Ｏ変換部５０６と、光信号で構成される情報信号を、受光素子ＰＤで受光してＯ／Ｅ変換して送受信部５０５に渡すＯ／Ｅ変換部５０７と、機能モジュール５の機能に対応した機能部５０８と、機能部５０８から送られてくる情報信号をＩ／Ｏインターフェースを通じて取り込み、送信先へ情報信号として送信させる処理を行う機能や、送受信部５０５で受信した情報信号を取り込み、Ｉ／Ｏインターフェースを通じて機能部５０８へ送信する機能を備えた演算処理部５０９とを備えている。
【００２９】
コイル５０２及びコア５０１は、後述するように、基本機能モジュール５と連結する拡張機能モジュール６或いは制御モジュール７に電力を非接触で供給するための給電手段を構成するトランスの一次側となる電磁結合部を構成するもので、連結する拡張機能モジュール６或いは制御モジュール７側に設けたコイル６０２，７０２を巻回したコア６０１，７０１にコア５０１が磁気結合してトランス作用によりコイル６０２，７０２側に低圧交流電源電圧を誘起させて電源供給を行うようになっている。ここで、ＡＣ／ＡＣコンバータ５０３により商用周波数よりも周波数が高い交流電源に変換することで、電磁結合部によるトランス構成の小型化を図っている。そして、直流電源部５０４から内部回路の動作電源＋Ｖを得るようになっている。因みに、図６に示すように、モジュール本体５ａの側面のうち、電磁結合部を構成するコア５０１の先端が近接配置されている領域が磁気結合部Ｘとなっている。
【００３０】
一方、Ｅ／Ｏ変換部５０６の発光素子ＬＥＤは、後述するように、基本機能モジュール５と隣接する拡張機能モジュール６或いは制御モジュール７に、情報信号を光信号により非接触で伝達するためのもので、連結された拡張機能モジュール６或いは制御モジュール７側のＯ／Ｅ変換部６０７，７０７に設けた受光素子ＰＤに対置される。また、Ｏ／Ｅ変換部５０７の受光素子ＬＥＤは、隣接する拡張機能モジュール６或いは制御モジュール７から光信号により伝達されてくる情報信号を受け取るためのもので、連接する拡張機能モジュール６或いは制御モジュール７側のＥ／Ｏ変換部６０６，７０６の発光素子ＬＥＤに対置される。尚、コア５０１とコイル５０２とからなる電磁結合部は、図４には１組しか示していないが、実際には電気的に並列な２組備える。また、Ｅ／Ｏ変換部５０６の発光素子ＬＥＤ，Ｏ／Ｅ変換部５０７の受光素子ＰＤについても、夫々に別の発光素子ＬＥＤ、受光素子ＰＤを接続しており、モジュール本体５ａの両側において側壁に近接する内部位置に夫々１組ずつ夫々配置している。ここで、図６に示すように、発光素子ＬＥＤの発光部及び受光素子ＰＤの受光部が対向するモジュール本体５ａの側壁部位は、光信号が透過可能なように透明部Ｙとしてある。
【００３１】
尚、モジュール本体５ａの両側では、受光素子ＬＥＤと、発光素子ＰＤとの位置が上、下逆の位置になるように配置され、例えば、右側では受光素子ＬＥＤが上になり発光素子ＰＤが下になるように配置し、左側では、受光素子ＬＥＤが下になり発光素子ＰＤが上になるように配置している。そして、電磁結合部を構成するコア５０１の先端部の配置位置と、受光素子ＬＥＤ及び発光素子ＰＤの配置位置の上下間隔は定型化している。
【００３２】
基本機能モジュール５は、図６に示すように、合成樹脂製で扁平なモジュール本体５ａを備え、その背面部には、ゲート装置３の接続部３Ａに適合するコネクタ５Ａが設けられている。具体的には、コネクタ５Ａは、図４に示すように、基本機能モジュール５の背面部に電力路接続口３１に嵌合する電力被接触部５１と情報路接続口３２に嵌合する情報被接触部５２とを備えている。尚、このコネクタ５Ａは、ゲート装置３の接続部３Ａに対応した形態となるようにモジュール化している。
【００３３】
基本機能モジュール５は、コネクタ５Ａの電力被接触部５１及び報被接触部５２をゲート装置３の接続部３Ａの電力路接続口３１及び路接続口３２にそれぞれ結合させることによって、ゲート装置３に着脱可能に接続され、スイッチボックスＳＢの前面開口を覆うと共に、周部のフランジをスイッチボックスＳＢの前面開口周辺の壁面に重ねた状態となる。そして、基本機能モジュール５は、その状態で上下両部の中央にそれぞれ穿孔している取付孔５１０に取り付けねじ（図示せず）を前面部側からそれぞれ挿通させて取付枠４の上下枠に設けたねじ孔４ｃに螺入締結することによって、スイッチボックスＳＢに取付枠４を介して取り付けられる。
【００３４】
また、基本機能モジュール５のモジュール本体５ａの前面部には、連結用溝部５１１が設けられている。連結用溝部５１１は、図１１に示すように、幅の広い幅広溝５１１ａと幅の狭い幅狭溝５１１ｂとで構成されている。具体的には、幅広溝５１１ａと幅狭溝５１１ｂとは、モジュール本体５ａの幅方向に伸びる溝であり、モジュール本体５ａの上下両端部にそれぞれ設けられる。また、連結用溝部５１１は、幅広溝５１１ａと幅狭溝５１１ｂとを中央の仕切壁５１２で左右に二分するように形成している。このように、基本機能モジュール５は、後述する拡張機能モジュール６或いは制御モジュール７に着脱可能となっている。
【００３５】
尚、図４ではゲート装置３の両接続口３１，３２及び基本機能モジュール５のコネクタ５Ａの被接続部５１，５２を縦方向で示しているが、実際は横方向になっている。
【００３６】
機能モジュールのうち基本機能モジュール５に着脱可能に接続される拡張機能モジュール６は、基本機能モジュール５と同様に、表示手段或いは報知手段或いは操作手段のうち少なくとも何れか１つを有しており、各手段に応じた機能を構成するようモジュール本体６ａの内部に電気回路が構成されている。その回路の構成について、基本機能モジュール５の構成と同一の構成である部分が存するので、同一の部分については説明を省略し、異なる構成の部分について説明する。
【００３７】
即ち、拡張機能モジュール６は、図５に示すように、両電磁結合部のコイル６０２間を接続する線路には、ＡＣ／ＤＣコンバータは設けられておらず、線路が分岐して直流電源部６０３が接続されている。この直流電源部６０３から内部回路の動作電源＋Ｖを得るようになっている。また、拡張機能モジュール６は、Ｏ／Ｅ変換部６０７からの電気信号からなる情報信号を受け取ると共に、電気信号からなる情報信号をＥ／Ｏ変換部６０６へ送り出す情報信号送受信部６０４を備えている。
【００３８】
また、拡張機能モジュール６は、そのモジュール本体６ａの高さ方向、横幅方向及び両側面の形状については、基本機能モジュール５のモジュール本体５ａの高さ方向、横幅方向及び両側面の形状とそれぞれ同じ形状である。一方、モジュール本体６ａの後面は、図７（ｂ）及び（ｃ）に示すように、平坦な面に形成して壁面に沿わせることができるように構成されている。従って、本実施形態では、拡張機能モジュール６には、コネクタは設けられていない。尚、拡張機能モジュール６にコネクタを設けて、ゲート装置３に着脱可能としてもよい。
【００３９】
また、モジュール本体６ａの上下両端部には、幅広溝６１１ａと幅狭溝６１１ｂとで構成される連結用溝部６１１が設けられている。連結用溝部６１１の形状については、基本機能モジュール５の連結用溝部５１１と同じ形状である。但し、図７（ａ）乃至（ｃ）に示すように、拡張機能モジュール６の連結用溝部６１１には、溝の開口を開閉する蓋部６１３が設けられており、連結体２０を装着する場合や外す場合には蓋部６１３を開き、連結体２０の装着状態を保持する場合には蓋部６１３を閉じるように構成されている。これにより、拡張機能モジュール６は、基本機能モジュール５或いは、後述する制御モジュール７に着脱可能になっている。
【００４０】
ここで、拡張機能モジュール６のモジュール本体６ａの側面に磁気結合部Ｘ及び透明部Ｙが形成される位置は、基本機能モジュール５の側面の磁気結合部Ｘ及び透明部Ｙの位置と合うように定型化され、拡張機能モジュール６同士を連結させたとき或いは基本機能モジュール５と拡張機能モジュール６とを連結させたときに対向する側面側の磁気結合部Ｘ，Ｘ同士及び、透明部Ｙ，Ｙ同士が夫々対向するようになっている。つまり、夫々の給電手段の接続口同士、情報信号の伝達手段の接続口同士が接続された状態となる。
【００４１】
このように機能モジュールは、ゲート装置３に直接接続する基本機能モジュール５とゲート装置３に接続した基本機能モジュール５に接続することによってゲート装置３に接続する拡張機能モジュール６とに分類されるのであるが、内部の回路を構成する機能部５０８，６０８の構成によって、電力線Ｌ１からの電力の受け取り或いは情報線Ｌ２を介しての情報の受け取り或いは情報線Ｌ２を介しての情報の受け渡しのうち少なくとも何れかを行って所定の機能を発揮する。即ち、機能モジュールは、機能部５０８，６０８の構成によって、表示手段或いは報知手段或いは操作手段のうちの何れかの機能を有する。本実施形態では、表示手段として情報線Ｌ２を通じて伝送される情報信号に基づいて映像の入力又は出力のうち少なくとも何れか一方の動作を行う映像モジュール８と、報知手段として情報線Ｌ２を通じて伝送される情報信号に基づいて音声の入力又は出力のうち少なくとも何れか一方の動作を行う音声モジュール９と、操作手段として情報線Ｌ２を通じて伝送される情報信号に基づいて操作部からの操作入力を情報線Ｌ２に出力する操作モジュール１０とを用いた場合について説明する。尚、一つの機能モジュールにおいて、例えば表示手段と報知手段とを有するなどのように、複数の手段を有するよう構成してもよい。
【００４２】
映像モジュール８を構成する機能モジュールの機能部８０８は、図８に示すように、後述の制御モジュール７の機能部７０８（ＣＰＵ部７０８ａ）から送信される制御情報としての制御信号によって動作が制御され、画面の切替等の操作を行う操作スイッチＳＷａからの操作入力を監視し、操作信号をＩ／Ｏインターフェースを介して制御モジュール７に送信すると共に、Ｉ／Ｏインターフェースを介して送られてくる画像データを伸長復号して液晶表示部ＬＣＤに表示されるＣＰＵ部８０８ａを備えている。この映像モジュール８のモジュール本体８ａは、図１６に示すように、３個のモジュール寸法の器体を幅方向に２個並べた大きさに形成されており、前面の略中央に液晶表示部ＬＣＤを配置すると共に、液晶表示部ＬＣＤの下側に操作スイッチＳＷａの操作ボタンを配置してある。
【００４３】
音声モジュール９を構成する機能モジュールの機能部９０８は、図９に示すように、後述の制御モジュール７の機能部７０８（ＣＰＵ部７０８ａ）から送信される制御信号によって動作が制御され、マイクＭＣにより電気信号に変換された音声信号を変調し、Ｉ／Ｏインターフェースを介して制御モジュール７に送信すると共に、Ｉ／Ｏインターフェースを介して送られてくる音声信号を復調し、スピーカＳＰから出力させるＣＰＵ部９０８ａを備えている。また、音声モジュール９は、図１６に示すように、モジュール本体９ａの内部にスピーカＳＰ及びマイクＭＣを収納してあり、モジュール本体９ａの前面には複数個の音孔を貫設してある。
【００４４】
操作モジュール１０を構成する機能モジュールの機能部１００８は、図１０に示すように、後述の制御モジュール７の機能部７０８（ＣＰＵ部７０８ａ）から送信される制御信号によって動作が制御され、通話ボタンスイッチＳＷｂ、呼出音量スイッチＳＷｃ及び室内呼スイッチＳＷｄからの操作入力を監視し、操作信号をＩ／Ｏインターフェースを介して制御モジュール７へ送信するＣＰＵ部１００８ａを備えている。そして、この操作モジュール１０は、モジュール本体１０ａの前面に通話スイッチＳＷｂ、呼出音量スイッチＳＷｃ及び室内呼スイッチＳＷｄの各操作ボタンを配置してある。
【００４５】
制御モジュール７は、ゲート装置３に接続された基本機能モジュール５又は基本機能モジュール５に接続された拡張機能モジュール６に着脱可能に接続され、機能モジュール５，６を制御する。本実施形態では、制御モジュール７は、図１２に示すように、コア７０１と、コア７０１に巻装したコイル７０２と、低圧交流電源を整流平滑後、安定した直流電圧からなる内部回路の動作電源＋Ｖを得る直流電源部７０３と、双方向に伝送される情報信号を送受信する送受信部７０５と、情報線Ｌ２を介して受信される情報信号をＥ／Ｏ変換して発光素子ＬＥＤを通じて送出するするＥ／Ｏ変換部７０６と、光信号で構成される情報信号を受光素子ＰＤで受光してＯ／Ｅ変換して送受信部７０５に渡すＯ／Ｅ変換部７０７と、Ｏ／Ｅ変換部７０７からの電気信号からなる情報信号を受け取ると共に、電気信号からなる情報信号をＥ／Ｏ変換部７０６へ送り出す情報信号送受信部７０４と、制御部としてのＣＰＵ部７０８ａと情報記憶媒体７０８ｂとを有する機能部７０８と、機能部７０８から送られてくる情報信号をＩ／Ｏインターフェースを通じて取り込み、送信先へ情報信号として送信させる処理を行う機能や、送受信部で受信した情報信号を取り込み、Ｉ／Ｏインターフェースを通じて機能部７０８へ送信する機能を備えた演算処理部７０９とを備えている。
【００４６】
制御モジュール７の機能部７０８は、機能モジュール５，６の所定の機能を発揮させることによって機能モジュール５，６に特定の動作を行わせる情報を格納した情報記憶媒体７０８ｂと、情報記憶媒体７０８ｂに格納された情報に基づいて制御情報としての制御信号を生成し、適宜映像モジュール８と音声モジュール９と操作モジュール１０へ送信して映像モジュール８と音声モジュール９と操作モジュール１０とをそれぞれ制御し、それぞれのモジュール８，９，１０を相互に連携させて特定の動作させる制御部７０８ａとを備える。具体的には、制御モジュール７の機能部７０８は、図１３に示すように、映像モジュール８と音声モジュール９と操作モジュール１０の各機能（例えば、映像表示機能や鳴動機能など）を発揮させて各モジュール８，９，１０を連携動作させる情報としての動作プログラム（例えば、インターホン通話用のプログラムや防災用のプログラムや防犯用のプログラムなど）が書換え可能に記憶された情報記憶媒体７０８ｂと、情報記憶媒体７０８ｂに記憶された情報を実行して各機能モジュール５，６を連携動作させる制御部としてのＣＰＵ部７０８ａとを備える。
【００４７】
また、情報記憶媒体７０８ｂは、制御部としてのＣＰＵ部７０８ａに着脱自在となっている。具体的には、ＣＰＵ部７０８ａには、装着部７０８ｃが接続されており、この装着部７０８ｃに情報記憶媒体７０８ｂが着脱自在に装着される。尚、情報記憶媒体７０８ｂには、例えば、ＳＤカードなどのメモリ媒体が用いられる。また、情報記憶媒体７０８ｂに記憶された動作プログラムの書換えは、動作プログラムの追加やバージョンアップを含み、例えば、情報線Ｌ２を介してパーソナルコンピュータ等を用いて新たな動作プログラムをダウンロードすることによって書換えることも可能であるし、この配線システムに別個独立の書換え装置（図示せず）を設け、この装置を用いて書換えることも可能である。但し、本実施形態では、ＣＰＵ部７０８ａは、ゲート装置３などを介して情報線Ｌ２に接続されているので、情報線Ｌ２を介して書換えるようにすることで、ＣＰＵ部７０８ａの装着部７０８ｃに情報記憶媒体７０８ｂを装着した状態でも容易に情報記憶媒体７０８ｂに格納している情報を書換えることができる。
【００４８】
コイル７０２及びコア７０１は、後述するように、制御モジュール７と連結する機能モジュール５，６に電力を非接触で供給するための給電手段を構成するトランスの一次側となる電磁結合部を構成するもので、連結する機能モジュール５，６側に設けたコイル５０２，６０２を巻回したコア５０１，６０１にコア７０１が磁気結合してトランス作用によりコイル５０１，６０１側に低圧交流電源電圧を誘起させて電源供給を行うようになっている。また、両電磁結合部のコイル７０２間を接続する線路には、直流電源部７０３を接続し、この直流電源部７０３から内部回路の動作電源＋Ｖを得るようになっている。因みに、図１４（ｂ）及び（ｃ）に示すように、モジュール本体７ａの側面のうち、電磁結合部を構成するコア７０１の先端が近接配置されている領域が磁気結合部Ｘとなっている。
【００４９】
一方、Ｅ／Ｏ変換部７０６の発光素子ＬＥＤは、後述するように、制御モジュール７と隣接する機能モジュール５，６に、情報信号を光信号により非接触で伝達するためのもので、連結された機能モジュール５，６側のＯ／Ｅ変換部５０７，６０７に設けた受光素子ＰＤに対置される。また、Ｏ／Ｅ変換部７０７の受光素子ＬＥＤは、隣接する機能モジュール５，６から光信号により伝達されてくる情報信号を受け取るためのもので、連接する機能モジュール５，６側のＥ／Ｏ変換部５０６，６０６の発光素子ＬＥＤに対置される。因みに、図１４（ｂ）及び（ｃ）に示すように、発光素子ＬＥＤの発光部及び受光素子ＰＤの受光部が対向するモジュール本体７ａの側壁部位は、光信号が透過可能なように透明部Ｙとしてある。
【００５０】
ここで、モジュール本体７ａ前面には、開閉自在となるように装着部７０８ｃが設けられている。装着部７０８ｃは、その内部にてＣＰＵ部７０８ａと電気的に接続することができるようになっており、装着部７０８ｃに情報記憶媒体７０８ｂを装着（収納）することにより、ＣＰＵ部７０８ａと情報記憶媒体７０８ｂとが電気的に接続される。こうして、ＣＰＵ部７０８ａが情報記憶媒体７０８ｂに格納されている動作プログラムを実行できるようになる。また、制御モジュール７のモジュール本体７ａの側面に磁気結合部Ｘ及び透明部Ｙが形成される位置は、機能モジュールの側面の磁気結合部Ｘ及び透明部Ｙの位置と合うように定型化され、制御モジュール７同士を連結させたとき或いは機能モジュール５，６と制御モジュール７とを連結させたときに対向する側面側の磁気結合部Ｘ，Ｘ同士及び、透明部Ｙ，Ｙ同士が夫々対向するようになっている。つまり、夫々の給電手段の接続口同士、情報信号の伝達手段の接続口同士が接続された状態となる。
【００５１】
尚、モジュール本体７ａの両側では、受光素子ＬＥＤと、発光素子ＰＤとの位置が上、下逆の位置になるように配置され、例えば、右側では受光素子ＬＥＤが上になり発光素子ＰＤが下になるように配置し、左側では、受光素子ＬＥＤが下になり発光素子ＰＤが上になるように配置している。そして、電磁結合部を構成するコア７０１の先端部の配置位置と、受光素子ＬＥＤ及び発光素子ＰＤの配置位置の上下間隔は定型化している。
【００５２】
制御モジュール７のモジュール本体７ａの後面は、図１４（ｂ）及び（ｃ）に示すように、平坦な面に形成して壁面に沿わせることができるように構成されている。従って、本実施形態では、制御モジュール７には、上述のようなゲート装置３の接続部３Ａに接続可能なコネクタは設けられていない。尚、制御モジュール７にコネクタを設けて、ゲート装置３に着脱可能としてもよい。
【００５３】
また、モジュール本体７ａの上下両端部には、幅広溝７１１ａと幅狭溝７１１ｂとで構成される連結用溝部７１１が設けられている。連結用溝部７１１の形状については、拡張機能モジュール６の連結用溝部６１１と同じ形状であるので説明を省略する。これにより、制御モジュール７は、機能モジュール５，６に着脱可能になっている。
【００５４】
以上のような構成のゲート装置３と基本機能モジュール５と拡張機能モジュール６と制御モジュール７とを適宜接続する。具体的には、図４及び図６に示すように、ゲート装置３の接続部３Ａに基本機能モジュール５のコネクタ５Ａを接続する。これにより、基本機能モジュール５はゲート装置３を介して電力線Ｌ１及び情報線Ｌ２の両方に接続され、ゲート装置３に基本機能モジュール５を接続するだけで、電力路と情報路とを同時に確保することができる。また、ゲート装置３の接続部３Ａと基本機能モジュール５のコネクタ５Ａとは、互いに適合するようにそれぞれモジュール化しているので、基本機能モジュール５をどのゲート装置３にも接続でき、レイアウトフリーで施工性に優れた配線システム１とすることができる。
【００５５】
そして、基本機能モジュール５の連結用溝部５１１に、連結体２０の片側半分を仕切壁５１２に当たるまで嵌め込む。次に、連結体２０の残り半分を拡張機能モジュール６の連結用溝部６１１に嵌め込む。更に、拡張機能モジュール６の連結用溝部６１１に、連結体２０の片側半分を仕切壁６１２に当たるまで嵌め込む。次に、連結体２０の残り半分を制御モジュール７の連結用溝部７１１に嵌め込む。
【００５６】
このようにして各々のモジュール５，６，７を接続すると、基本機能モジュール５と拡張機能モジュール６とは、対向する側面側の磁気結合部Ｘ，Ｘ同士及び、透明部Ｙ，Ｙ同士が接続された状態となる。よって、基本機能モジュール５と拡張機能モジュール６とは、非接触給電及び非接触通信することができる。また、隣接する拡張機能モジュール６同士についても、同様に、対向する側面側の磁気結合部Ｘ，Ｘ同士及び、透明部Ｙ，Ｙ同士が接続された状態となって非接触給電及び非接触通信することができる。更に、制御モジュール７と拡張機能モジュール６についても、同様に、対向する側面側の磁気結合部Ｘ，Ｘ同士及び、透明部Ｙ，Ｙ同士が接続された状態となって非接触給電及び非接触通信することができる。このように、各モジュール間で非接触給電及び非接触通信すると、接触不良を抑制することができ、電力の伝達や情報信号の授受を確実に行うことができる。そして、制御モジュール７を機能モジュール５，６に接続することにより、情報記憶媒体７０８ｂに格納されている動作プログラムに対応したシステムとしての機能が得られる。
【００５７】
例えば、情報記憶媒体７０８ｂに格納されている動作プログラムが、インターホン通話用のプログラムである場合、図１６に示すように、表示手段を有する基本機能モジュール５（映像モジュール８）と報知手段を有する拡張機能モジュール６（音声モジュール９）と操作手段を有する拡張機能モジュール６（操作モジュール１０）とを準備することにより、インターホン通話をすることができる。即ち、制御モジュール７の機能部７０８が、表示手段を有する機能モジュールと報知手段を有する機能モジュールと操作手段を有する機能モジュールとをそれぞれ制御して連携動作させることにより、インターホン通話機能を有する配線システム１が形成される。
【００５８】
この場合、来訪者が図示しないドアホンの呼出ボタンを押操作すると、このドアホンから情報線Ｌ２を介して送出された呼出信号とドアホンのカメラで撮影された画像データとが制御モジュール７の送受信部７０５で受信され、Ｉ／Ｏインターフェースを介して機能部７０８に入力される。制御モジュール７の機能部７０８では、ＣＰＵ部７０８ａが情報記憶媒体７０８ｂに格納されているインターホン通話用のプログラムを実行して呼出音を鳴動させる制御信号を生成し、来訪者が操作したドアホンに対して予め対応関係が設定された音声モジュール９へ上記制御信号を送出させると共にドアホンのカメラで撮影された画像データを対応する映像モジュール８に送出させる。この時、音声モジュール９では、機能部９０８を構成するＣＰＵ部９０８ａが、送受信部９０５及びＩ／Ｏインターフェースを介して呼出音を鳴動させる制御信号を受け取り、この制御信号に基づいてスピーカＳＰから呼出音を発生させることにより音声モジュール９の機能を発揮する。また、映像モジュール８では、機能部８０８を構成するＣＰＵ部８０８ａが、送受信部８０５及びＩ／Ｏインターフェースを介して画像データを受け取り、この画像データを伸長復号して液晶表示部ＬＣＤに表示させることにより映像モジュール８の機能を発揮する。
【００５９】
次に、音声モジュール９のスピーカＳＰから発せられた呼出音を聞き、映像モジュール８の液晶表示部ＬＣＤに映し出された画像で来訪者を確認した家人が、来訪者と通話するために操作モジュール１０の通話ボタンＳＷｂを押操作すると、操作モジュール１０のＣＰＵ部１００８ａが通話スイッチＳＷｂからの操作入力をもとに通話スイッチＳＷｂの操作を報知する情報信号を生成し、この情報信号をＩ／Ｏインターフェース部及び送受信部１００５を介して制御モジュール７へ送信する。この情報信号を受け取った制御モジュール７の機能部７０８では、ドアホンと通話モジュールとの間の回線を形成するための制御信号を生成し、Ｉ／Ｏインターフェース部及び送受信部７０５を介して対応する音声モジュール９へ制御信号を送出する。音声モジュール９では、機能部９０８のＣＰＵ部９０８ａが、制御モジュール７からの制御信号に基づいて、マイクＭＣで電気信号に変換された音声信号を変調してドアホンに送出すると共にドアホンから送出された音声信号を復調してスピーカＳＰから出力させており、ドアホンとの間でインターホン通話を行うことができる。尚、表示手段として液晶表示部ＬＣＤ、報知手段としてスピーカＳＰやマイクＭＣ及び操作手段通話スイッチＳＷｂを兼ね備えた一つの機能モジュールを準備してインターホン通話を形成することもできる。
【００６０】
尚、操作モジュール１０の呼出音量ボタンＳＷｃを押操作すると、ＣＰＵ部１００８ａが、呼出音量スイッチＳＷｃからの操作入力をもとに、呼出音の音量を変化させる操作信号を生成して、この制御モジュール７へ送信する。この時、制御モジュール７では、ＣＰＵ部７０８ａが呼出音の音量を調整する制御信号を生成して、音声モジュール９に送出しており、この制御信号を受け取った音声モジュール９では、ＣＰＵ部９０８ａがスピーカＳＰから出力する呼出音の音量を所望の大きさに制御するようになっている。
【００６１】
また、例えば、情報記憶媒体７０８ｂに格納されている動作プログラムが防災用のプログラムである場合には、図１７に示すように、表示手段を有する基本機能モジュール５（映像モジュール８）と報知手段を有する拡張機能モジュール６（音声モジュール９）と操作手段を有する拡張機能モジュール６（操作モジュール１０）とセンサ手段としてセンサ手段を有する拡張機能モジュール６（防災用センサ入力モジュール１１）とを準備することにより、防災設備を形成することができる。即ち、制御モジュール７の機能部７０８が、表示手段を有する機能モジュールと報知手段を有する機能モジュールと操作手段を有する機能モジュールとセンサ手段を有する機能モジュールとをそれぞれ制御して連携動作させることにより、防災機能を有する配線システム１が形成される。
【００６２】
センサ手段としての防災用センサ入力モジュール１１は、図１７に示すように、そのモジュール本体１１ａが３個モジュール寸法の器体を幅方向に２個並べた大きさに形成されており、前面の略中央に熱又は煙の感知部１１ｂを設けると共に感知部１１ｂの下側に警報停止ボタン１１ｃを設けている。また、防災用センサ入力モジュール１１の機能部１１０８は、図１８に示すように、制御モジュール７の機能部７０８（ＣＰＵ部７０８ａ）から情報路を介して送信される制御信号によって動作が制御され、感知部１１ｂ（防災用センサ）からの発報信号及び警報停止ボタン１１ｃの操作入力を監視し、感知部１１ｂから発報信号が入力されるか、又は、警報停止ボタン１１ｃからの操作入力があると、発報信号及び操作信号をＩ／Ｏインターフェースを介して制御モジュール７へ送信するＣＰＵ部１１０８ａを備えている。尚、センサ手段としては、防災用センサ入力モジュール１１には限られず、ゲート装置３などに接続しない構成の各種センサを採用することができる。
【００６３】
この場合、防災用センサ入力モジュール１１の感知部１１ｂが火災の発生を検知して発報信号を発生すると、防災用センサ入力モジュール１１の機能部１１０８が感知部１１ｂからの発報信号をＩ／Ｏインターフェースを介して制御モジュール７へ送信する。制御モジュール７の機能部７０８では、ＣＰＵ部７０８ａが情報路を通じて送信された発報信号を受信すると、情報記憶媒体７０８ｂに格納されている防災用のプログラムを実行して警報音を発生させる制御信号を生成し、音声モジュール９に出力すると共に火災警報を画面上に表示させる制御信号を生成して映像モジュール８に出力する。この時、音声モジュール９では、機能部９０８が制御モジュール７から送出された制御信号に基づいて、スピーカＳＰから警報音を発生させることで、家人に火災発生を報知する。また、映像モジュール８では、機能部８０８が制御モジュール７から送出された制御信号に基づいて、液晶表示部ＬＣＤに火災警報メッセージを表示させることで、家人に火災発生を報知する。
【００６４】
その後、防災用センサ入力モジュール１１の警報停止ボタン１１ｃが押操作されると、防災用センサ入力モジュール１１の機能部１１０８が警報停止ボタン１１ｃの操作信号をＩ／Ｏインターフェースを介して制御モジュール７へ送信する。この時、制御モジュール７の機能部７０８では、ＣＰＵ部７０８ａが情報路を通じて送信された操作信号を受信すると、報知動作を停止させる制御信号を音声モジュール９及び映像モジュール８に出力し、音声モジュール９及び映像モジュール８のそれぞれの機能部８０８，９０８により報知動作を停止させるのである。尚、本実施形態では、防災用センサ入力モジュール１１に警報動作を停止させるボタン１１ｃを設けているが、操作モジュール１０に警報停止ボタンを設け、この警報停止ボタンの操作に応じて報知動作を停止するようにしてもよい。
【００６５】
また、例えば、情報記憶媒体７０８ｂに格納されている動作プログラムが防犯用のプログラムである場合、図１９に示すように、表示手段を有する基本機能モジュール５（映像モジュール８）と報知手段を有する拡張機能モジュール６（音声モジュール９）と操作手段を有する拡張機能モジュール６（操作モジュール１０）とセンサ手段としてセンサ手段を有する拡張機能モジュール６（防犯用センサ入力モジュール１２）とを準備することにより、防犯設備を形成することができる。即ち、制御モジュール７の機能部７０８が、表示手段を有する機能モジュールと報知手段を有する機能モジュールと操作手段を有する機能モジュールとセンサ手段を有する機能モジュールとをそれぞれ制御して連携動作させることにより、防犯機能を有する配線システム１が形成される。
【００６６】
センサ手段としての防犯用センサ入力モジュール１２は、図１９に示すように、その本体が３個モジュール寸法の器体を幅方向に２個並べた大きさに形成されており、本体前面の左側には警戒状況を絵文字（ピクトサイン）で表示するサイン表示部１２ｂが配置され、本体前面の右側には警戒の解除又はセットをそれぞれ行うための解除ボタン１２ｃ及びセットボタン１２ｄがそれぞれ配置されている。また、防犯用センサ入力モジュール１２の機能部１２０８は、図２０に示すように、制御モジュール７の機能部７０８（ＣＰＵ部７０８ａ）から情報路を介して送信される制御信号によって動作が制御され、電気錠やクレセント錠の開閉状態を検知するセンサなどからなる防犯センサ１２ｅの発報信号及び解除ボタン１２ｃ、セットボタン１２ｄの操作入力を監視し、防犯センサ１２ｅから発報信号が入力されるか、又は、解除ボタン１２ｃ、セットボタン１２ｄからの操作入力があると、発報信号及び操作信号をＩ／Ｏインターフェースを介して制御モジュール７へ送信するＣＰＵ部１２０８ａを備えている。尚、センサ手段としては、防犯用センサ入力モジュール１２には限られず、ゲート装置３などに接続しない構成の各種防犯センサを採用することができる。
【００６７】
この場合、防犯用センサ入力モジュール１２に接続された防犯センサ１２ｅが侵入などの異常を検知して発報信号を発生すると、防犯用センサ入力モジュール１２の機能部１２０８（ＣＰＵ部１２０８ａ）が防犯センサ１２ｅからの発報信号をＩ／Ｏインターフェースを介して制御モジュール７へ送信する。制御モジュール７の機能部７０８では、ＣＰＵ部７０８ａが情報路を通じて送信された発報信号を受信すると、情報記憶媒体７０８ｂに格納されている防犯用のプログラムを実行して警報音を発生させる制御信号を生成し、音声モジュール９に出力すると共に侵入警報などの警報を画面上に表示させる制御信号を生成して映像モジュール８に出力する。この時、音声モジュール９では、機能部９０８が制御モジュール７から送出された制御信号に基づいて、スピーカＳＰから警報音を発生させることで、家人に異常発生を報知する。また、映像モジュール８では、機能部８０８が制御モジュール７から送出された制御信号に基づいて、液晶表示部ＬＣＤに侵入警報などの警報メッセージを表示させることで、家人に異常発生を報知する。
【００６８】
以上のような構成の配線システム１にあっては、制御モジュール７の制御部（ＣＰＵ部７０８ａ）がＣＰＵ部７０８ａに接続された装着部７０８ｃに装着された情報記憶媒体７０８ｂが格納している情報としての動作プログラムを実行して、それぞれの機能モジュール８，９，１０の映像表示機能や鳴動機能などの所定の機能を発揮させ、機能モジュール８，９，１０に特定の動作（例えば、インターホン通話設備、防災設備、又は防犯設備等としての動作）を行わせることによって機能モジュールの制御を行う。
【００６９】
ここで、情報記憶媒体７０８ｂに格納されている動作プログラムは書換え可能である。よって、例えば、インターホン通話用のプログラムを防災用のプログラムに書換えた情報記憶媒体７０８ｂを装着部７０８ｃに装着すると、ＣＰＵ部７０８ａは、防災用のプログラムを実行して、防災設備として機能モジュールが動作するように、各機能モジュール８，９，１０を制御する。従って、配線システムの機能の追加、拡張又は変更に容易に対応できる。
【００７０】
また、ＣＰＵ部７０８ａは、情報記憶媒体７０８ｂに格納された動作プログラムに基づいて制御情報としての制御信号を生成し、当該制御信号を機能モジュールへ送信するので、その制御信号を受信した機能モジュールは、制御信号に基づいて、例えば映像表示機能や鳴動機能等の所定の機能を発揮して特定の動作（例えば、インターホン通話設備、防災設備、又は防犯設備等としての動作）を行う。よって、制御モジュールによる機能モジュールの制御が可能となる。
【００７１】
また、拡張機能モジュール６に制御モジュール７を接続することによって、制御モジュール７の機能部７０８は、機能モジュールが例えば、映像機能、音声機能、操作機能等として機能するように制御するので、制御モジュール７を接続するだけでシステムとして機能させることができる。
【００７２】
更に、制御モジュール７の機能部７０８は、映像モジュール８、音声モジュール９、操作モジュール１０などの複数の機能モジュール５，６が連動するように制御するので、機能モジュール５，６全体でインターホン通話機能や防災機能や防犯機能等の動作を行わせることができる。
【００７３】
また更に、機能モジュール５，６として、映像モジュール８、音声モジュール９、操作モジュール１０等を、例えば建物内のいくつかの部屋に設けておけば、インターホン通話用の制御モジュール７をこれらの機能モジュール５，６に接続するだけで、それぞれの機能モジュール５，６を、インターホン通話システムとして機能させることができる。従って、ユーザは、ニーズに応じて、必要な配線システム１の機能に対応した制御モジュール７を準備さえすれば、予め設置されている機能モジュール５，６を利用して所望の機能を奏する配線システム１を構築することが可能となるのである。
【００７４】
また、将来的にユーザが現行の配線システム１の機能を別の機能に変更したい場合には、情報記憶媒体７０８ｂに格納している動作プログラムを所望の機能に対応した動作プログラムに情報線Ｌ２等のネットワークを利用するなどして書換えればよい。さらに、別の機能を追加したい場合には、所望の機能に対応した動作プログラムを格納する別個の情報記憶媒体７０８ｂを準備するか、或いは、現在所有している情報記憶媒体７０８ｂの動作プログラムを所望の機能に対応した動作プログラムに情報線Ｌ２等のネットワークを利用するなどして書換えればよい。
【００７５】
このように、本発明に係る配線システム１は、ユーザの将来的なニーズに対応して、特定システムの変更、拡張、削除等を簡単に行うことができる。
【００７６】
尚、本実施形態では、制御モジュール７が制御部としてのＣＰＵ部７０８ａと装着部７０８ｃとを備える場合について説明したが、これに限られず、アダプタモジュール１３を設けた場合であってもよい。ここで、アダプタモジュール１３は、図２１及び図２２に示すように、そのモジュール本体１３ａ内部にコア１３１と、コア１３１に巻装したコイル１３２と、情報信号を送受信する情報信号送受信部１３４と、情報信号をＥ／Ｏ変換して発光素子ＬＥＤを通じて送出するするＥ／Ｏ変換部１３６と、光信号で構成される情報信号を受光素子ＰＤで受光してＯ／Ｅ変換して情報信号送受信部１３４に渡すＯ／Ｅ変換部１３７と、制御部としてのＣＰＵ部１３ｃとを備えている。また、モジュール本体１３ａには、動作プログラムを書換え可能に格納した情報記憶媒体７０８ｂを装着するための開閉自在の装着部１３ｂが設けられている。アダプタモジュール１３は、装着部１３ｂに情報記憶媒体７０８ｂを装着(収納)することによりＣＰＵ部１３ｃと情報記憶媒体７０８ｂとが電気的に接続されるように構成されている。尚、情報記憶媒体７０８ｂは不図示のスロットを介してＣＰＵ部１３ｃに着脱自在に設けられてもよい。
【００７７】
そして、モジュール本体１３ａの側面のうち、電磁結合部を構成するコア１３１の先端が近接配置されている領域が磁気結合部Ｘとなっており、発光素子ＬＥＤの発光部及び受光素子ＰＤの受光部が対向するモジュール本体１３ａの側壁部位は、光信号が透過可能なように透明部Ｙとなっている。尚、アダプタモジュール１３のモジュール本体１３ａに連結用溝部１３１１を設け、連結体２０を介して機能モジュール５，６と着脱自在に構成してもよい。
【００７８】
このように、アダプタモジュール１３を設けてアダプタモジュール１３を機能モジュール５，６に接続するように構成することにより、制御モジュール７を小型化することが可能となる。また、アダプタモジュール１３が機能モジュール５，６に着脱可能に構成されているので、アダプタモジュール１３と機能モジュール５，６との間に容易に別の機能モジュール５，６を追加することができ、配線システム１の機能拡張が容易になる。
【００７９】
また、本実施形態では、複数の機能モジュール５，６が一つのゲート装置３に接続されている場合について説明したが、これに限られず、ゲート装置３を複数設け、それぞれのゲート装置３に機能モジュール５，６を接続した場合であってもよい。この場合、図２３に示すように、各ゲート装置３は、それぞれ電力線Ｌ１及び情報線Ｌ２に接続されているので、各ゲート装置３は、互いに電力線Ｌ１及び情報線Ｌ２にて接続されている。また、各機能モジュールは、各ゲート装置３を介して電力線Ｌ１及び情報線Ｌ２に接続されるので、各機能モジュールは、互いに電力線Ｌ１及び情報線Ｌ２にて接続されている。そして、制御モジュール７のＣＰＵ部７０８ａは、装着部７０８ｃに装着された情報記憶媒体７０８ｂに格納されている動作プログラムを実行して、情報線Ｌ２を通じて機能モジュールを制御することができるので、例えば建物内の各部屋に機能モジュールを設置した場合のように、離れた場所に設けられている機能モジュールであっても制御モジュール７で制御してシステムとして機能させることができる。
【００８０】
更に、機能モジュールが制御部としてのＣＰＵ部を内蔵し、このＣＰＵ部に装着部が接続されている場合であってもよい。
【００８１】
また更に、ゲート装置３が制御部としてのＣＰＵ部を内蔵し、このＣＰＵ部に装着部が接続されている場合であってもよい。
【００８２】
更に、機能モジュール５，６は、制御モジュール７が接続されていない場合には、機能しない（動作しない）ように構成することも可能であり、逆に、制御モジュール７が接続されていなくても、機能する（動作する）ように構成することも可能である。
【００８３】
また更に、本実施形態では、複数の機能モジュール５，６全体で連携動作してシステムを形成する場合について説明したが、これに限られず、複数の機能モジュール５，６のうちの一部を連携動作させてもよい。
【００８４】
また、拡張機能モジュール６は、上下方向に接続できるように構成されていてもよい。
【図面の簡単な説明】
【００８５】
【図１】本発明の一実施形態に係る配線システムを示す構成説明図。
【図２】同配線システムの後方斜視図。
【図３】取付枠の正面図。
【図４】ゲート装置及び基本機能モジュールを示す構成説明図。
【図５】拡張機能モジュールを示す構成説明図。
【図６】ゲート装置及び基本機能モジュールを示す後方斜視図。
【図７】（ａ）は拡張機能モジュールの正面図、（ｂ）は拡張機能モジュールの左側面図、（ｃ）は拡張機能モジュールの右側面図。
【図８】映像モジュールの機能部を示す構成説明図。
【図９】音声モジュールの機能部を示す構成説明図。
【図１０】操作モジュール同士の機能部を示す構成説明図。
【図１１】機能モジュールの連結の状態を示す斜視図。
【図１２】制御モジュールを示す構成説明図。
【図１３】制御モジュールの機能部を示す構成説明図。
【図１４】（ａ）は制御モジュールの正面図、（ｂ）は制御モジュールの左側面図、（ｃ）は制御モジュールの右側面図。
【図１５】機能モジュールと制御モジュールの連結の状態を示す斜視図。
【図１６】インターホン通話用の配線システムを示す正面図。
【図１７】防災用の配線システムを示す正面図。
【図１８】防災用センサ入力モジュールの機能部を示す構成説明図。
【図１９】防犯用の配線システムを示す正面図。
【図２０】防犯用センサ入力モジュールの機能部を示す構成説明図。
【図２１】アダプタモジュールを示す斜視図。
【図２２】アダプタモジュールと制御モジュールとの接続状態を示す構成説明図。
【図２３】他の実施形態における配線システムを示す構成説明図。
【符号の説明】
【００８６】
１…配線システム、２…分電盤、３…ゲート装置、４…取付枠、５…基本機能モジュール、６…拡張機能モジュール、７…制御モジュール、８…映像モジュール、９…音声モジュール、１０…操作モジュール、１１…防災用センサ入力モジュール、１２…防犯用センサ入力モジュール、１３…アダプタモジュール、２０…連結体、７０８ｂ…情報記憶媒体、ＡＣ…      商用電源、ＮＴ…ネットワーク網、Ｌ１…電力線、Ｌ２…情報線、ＳＢ…スイッチボックス、Ｘ…磁気結合部、Ｙ…透明部
【図１】
2007174361.tif 000003
【図２】
2007174361.tif 000004
【図３】
2007174361.tif 000005
【図４】
2007174361.tif 000006
【図５】
2007174361.tif 000007
【図６】
2007174361.tif 000008
【図７】
2007174361.tif 000009
【図８】
2007174361.tif 000010
【図９】
2007174361.tif 000011
【図１０】
2007174361.tif 000012
【図１１】
2007174361.tif 000013
【図１２】
2007174361.tif 000014
【図１３】
2007174361.tif 000015
【図１４】
2007174361.tif 000016
【図１５】
2007174361.tif 000017
【図１６】
2007174361.tif 000018
【図１７】
2007174361.tif 000019
【図１８】
2007174361.tif 000020
【図１９】
2007174361.tif 000021
【図２０】
2007174361.tif 000022
【図２１】
2007174361.tif 000023
【図２２】
2007174361.tif 000024
【図２３】
2007174361.tif 000025